(57)【要約】      （修正有）【課題】高音域であっても音にカスレが生じることがないオカリナを提供する。【解決手段】裏側部材４４における共鳴空間１４に面する内壁側に、第一裏側指孔５２と歌口５０とを区画する第一隔壁１８を設け、第二裏側指孔５４と歌口５０とを区画する第二隔壁２０を設ける。第一裏側指孔５２を開けることで第一裏面空間部２２で開放された空気圧は第一隔壁１８の自由先端部を乗り越えて中央裏面空間部２６から歌口５０に至るようにし、第二裏側指孔５４を開けることで第二裏面空間部２４で開放された空気圧は第二隔壁２０の自由先端部を乗り越えて中央裏面空間部２６から歌口５０に至るようにする。これによって、第一裏側指孔５２や第二裏側指孔５４で開放された空気圧は、中央裏面空間部２６でスムースな流れとなり、高音域でのカスレが生じない。【選択図】図１
2013113974.tif 000002
【特許請求の範囲】
【請求項１】
多数の表側指孔を形成した表側部材と、歌口と第一裏側指孔と第二裏側指孔を形成した裏側部材と、前記表側部材と前記裏側部材とを合わせて内部に形成する共鳴空間と、前記共鳴空間に連絡する吹き口及びエアウエーとを有するオカリナにおいて、隔壁を前記裏側部材の内壁に備えることで前記共鳴空間の一部に中央裏側空間部を形成し、前記中央裏側空間部が前記歌口と直接連絡するが前記第一裏側指孔や前記第二裏側指孔と直接連絡しないことを特徴とするオカリナ。
【請求項２】
前記隔壁を、前記歌口と前記第一裏側指孔とを区画する第一隔壁と、前記歌口と前記第二裏側指孔とを区画する第二隔壁とから構成し、前記第一隔壁と前記裏側部材とで前記第一裏側指孔と連絡する第一裏側空間部を形成し、前記第二隔壁と前記裏側部材とで前記第二裏側指孔と連絡する第二裏側空間部を形成し、前記第一隔壁と前記第二隔壁と前記裏側部材とで前記中央裏側空間部を形成し、前記第一裏側指孔を開いた状態では外部に開放される空気圧の流れは第一裏側空間部から前記第一隔壁の自由先端部を乗り越えて前記中央裏側空間部を経由して前記歌口に向かい、前記第二裏側指孔を開いた状態では外部に開放される空気圧の流れは第二裏側空間部から前記第二隔壁の自由先端部を乗り越えて前記中央裏側空間部を介して前記歌口に向かうことを特徴とする請求項１記載のオカリナ。
【請求項３】
前記第一隔壁や前記第二隔壁の自由先端部は、前記裏側部材における前記表側部材との接合面とほぼ同一の平面に配置したことを特徴とする請求項１または２に記載のオカリナ。
【発明の詳細な説明】
【技術分野】
【０００１】
本発明は、気鳴楽器の一種のオカリナに関するものである。
【背景技術】
【０００２】
オカリナは一般に、内部に空洞を形成した共鳴胴部と、その共鳴胴部内に空気を吹き込むための吹き口並びにエアウエーと、共鳴胴部に形成されるものであって空気を外部に出す発音源である歌口と、共鳴胴部に穿設される複数個の指孔とから成るものである。オカリナは、複数個の指孔を開閉することによって音程を操作するもので、低いラから１オクターブ高いファまで１オクターブ半の音域を持つものである。
【０００３】
ここで、従来既知のオカリナを図４乃至図８に示す。図４は従来既知のオカリナの平面図、図５は従来既知のオカリナの底面図、図６は従来既知のオカリナの正面図、図７は従来既知のオカリナの裏側部材の水平断面図、図８は図４のＡ−Ａ線縦断面図である。オカリナ４０は、一般的には、型抜きをした表側部材４２（図４から見える側の部材…オカリナ４０を持った時に上になる部材）と、型抜きをした裏側部材４４（図５から見える側の部材…オカリナ４０を持った時に下になる部材）とを接合固定して成るものである。
【０００４】
表側部材４２には、１個の特定表側指孔４６とその特定表側指孔４６以外の多数の表側指孔４８とが形成される。多数の表側指孔４８の中には２個の小孔を有しているが、２個の小孔位置は普遍的なものではない。裏側部材４４には、歌口５０と第一裏側指孔５２と第二裏側指孔５４とが形成される。表側部材４２と裏側部材４４とを接合固定することで共鳴胴部５６が形成され、その共鳴胴部５６の内部に表側部材４２の凹み部と裏側部材４４の凹み部とから成る共鳴空間５８（図７及び図８参照）が形成される。その共鳴空間５８は、特定表側指孔４６と多数の表側指孔４８と第一裏側指孔５２と第二裏側指孔５４と歌口５０を介して、オカリナ４０の外部と通じている。表側部材４２と裏側部材４４とを接合固定した状態では、一般にはその接合箇所に、共鳴空間５８へ空気を吹き込むための吹き口６０と、吹き口６０と共鳴空間５８とを連絡するためのエアウエー６２とが形成される（図６及び図７参照）。なお、吹き口６０とエアウエー６２は、表側部材４２と裏側部材４４との接合箇所に形成されない場合もある。
【０００５】
素材を陶器とするオカリナでは、表側部材４２と裏側部材４４とを接合固定して共鳴胴部５６を形成した後、音程や音の響き具合を調整するために、特定表側指孔４６と多数の表側指孔４８と第一裏側指孔５２と第二裏側指孔５４と歌口５０とエアウエー６２等を整形調整し、乾燥後焼成して製品として完成させる。一般的なオカリナの製造方法は、特許文献１に示されている。
【０００６】
オカリナによる音程は、ラからドを経て１オクターブ高いドまでを、表側部材４２の表側指孔４８を開閉することによって作りだす。その後の高い音程であるレは、表側部材４２の全部の表側指孔４８を開いた状態(特定表側指孔４６は閉じた状態)と、裏側部材４４の第  一裏側指孔５２を開く(第二裏側指孔５４は閉じた状態)ことで音を出す。更に高い音程であるミは、表側部材４２の全部の表側指孔４８を開いた状態(特定表側指孔４６は閉じた状態)と、裏側部材４４の第一裏側指孔５２と第二裏側指孔５４を開くことで音を出す。それより高い音程であるファは、表側部材４２の全ての表側指孔４８と特定表側指孔４６とを全部開くと共に、裏側部材４４の第一裏側指孔５２と第二裏側指孔５４とを開くことで音を出す。
【先行技術文献】
【特許文献】
【０００７】
【特許文献１】特開２００１−２１５９５５
【発明の概要】
【発明が解決しようとする課題】
【０００８】
従来既知のオカリナでは、表側部材４２の表側指孔４８を開いて、低い方のラからドを経て１オクターブ高いドまでを出す場合には奇麗な音が出るが、裏側部材４４の第一裏側指孔５２と第二裏側指孔５４を開いて、高いレミファ（＝高音域）の音を出すと、音の「カスレ」が生じるという不具合が生じることが多かった。この「カスレ」の原因は様々考えられるが、その原因の想定の一例について説明する。高音域の音のレを出す第一裏側指孔５２を開いた場合や、高音域の音のミを出す第二裏側指孔５４を開いた場合に、開放される空気圧は、歌口５０から一番短い距離にあるため、歌口５０での発音に影響を与えていると考えられる。一番短い距離を通るということは、第一裏側指孔５２や第二裏側指孔５４で開放される空気圧が、歌口５０から図８でほぼ水平方向に開放されると考えられる。一方、表側部材４２の多数の表側指孔４８への空気圧は、歌口５０から図８でやや垂直方向に開放されると考えられる。水平方向の空気圧の開放の流れとやや垂直方向の空気圧の開放の流れとが歌口５０での発音の際に混合し、発音が不安定となって歌口５０から出る音がかすれるのではないかと想定される。このため、高音域（高いレミファの音）でのオカリナの演奏は、演奏者にとっても聴衆者にとっても、好ましい音にならなかったという不具合があった。
【０００９】
本発明は、上記のような問題点に鑑みて為されたものであり、高音域において音にカスレが生じないオカリナを提供することを目的とする。
【課題を解決するための手段】
【００１０】
上記課題を解決するため、本発明に係るオカリナは、多数の表側指孔を形成した表側部材と、歌口と第一裏側指孔と第二裏側指孔を形成した裏側部材と、前記表側部材と前記裏側部材とを合わせて内部に形成する共鳴空間と、前記共鳴空間に連絡する吹き口及びエアウエーとを有するオカリナにおいて、隔壁を前記裏側部材の内壁に備えることで前記共鳴空間の一部に中央裏側空間部を形成し、前記中央裏側空間部が前記歌口と直接連絡するが前記第一裏側指孔や前記第二裏側指孔と直接連絡しないことを特徴とするものである。本発明は、前記隔壁を、前記歌口と前記第一裏側指孔とを区画する第一隔壁と、前記歌口と前記第二裏側指孔とを区画する第二隔壁とから構成し、前記第一隔壁と前記裏側部材とで前記第一裏側指孔と連絡する第一裏側空間部を形成し、前記第二隔壁と前記裏側部材とで前記第二裏側指孔と連絡する第二裏側空間部を形成し、前記第一隔壁と前記第二隔壁と前記裏側部材とで前記中央裏側空間部を形成し、前記第一裏側指孔を開いた状態では外部に開放される空気圧の流れは第一裏側空間部から前記第一隔壁の自由先端部を乗り越えて前記中央裏側空間部を経由して前記歌口に向かい、前記第二裏側指孔を開いた状態では外部に開放される空気圧の流れは第二裏側空間部から前記第二隔壁の自由先端部を乗り越えて前記中央裏側空間部を介して前記歌口に向かうことを特徴とするものである。本発明は、前記第一隔壁や前記第二隔壁の自由先端部は、前記裏側部材における前記表側部材との接合面とほぼ同一の平面に配置したことを特徴とするものである。
【発明の効果】
【００１１】
本発明に係るオカリナによれば、高音域のレやミやファを出すために第一裏側指孔や第二裏側指孔を開いた場合に、第一裏側指孔や第二裏側指孔と歌口とは、図８で示す水平方向の短距離で連絡するのではなく、隔壁（１つまたは２つの隔壁）によって遮断されている。即ち、第一裏側指孔や第二裏側指孔から歌口に向かう空気圧の開放の流れは、隔壁の自由先端部を乗り越えて、その後、歌口に向かう流れとなる。第一裏側指孔や第二裏側指孔を開いた場合の空気圧の流れは、表側部材の多数の表側指孔を開いた場合の空気圧の流れ（図８で歌口に向けてやや垂直方向に移動する空気圧の流れ）と同じ方向になる。従って、従来既知のオカリナの場合、歌口ではほぼ水平方向とほぼ垂直方向との２つの異なる方向の空気圧の流れが混在することで歌口での空気の振動に干渉をもたらしていたが、本発明では、第一裏側指孔や第二裏側指孔を開いた場合の歌口に向かう空気圧の流れは、隔壁の自由先端部を乗り越えて、ほぼ垂直方向の空気圧の流れとなり、歌口での空気の振動への干渉の発生が低減する。これによって、高音域のレやミやファを出した場合（裏側部材の第一裏側指孔と第二裏側指孔とを開いた場合）に、歌口への空気圧の流れは、同じ方向の流れだけになり、音のカスレの発生を防止することができる。この結果、本発明のオカリナでは、全ての領域で音のカスレが生じない良い音を出すことが可能となる。
【図面の簡単な説明】
【００１２】
【図１】本発明に係るオカリナの一実施例を示す裏側部材の水平断面図である。
【図２】本発明に係るオカリナの縦断面図である。
【図３】本発明に係るオカリナの他の実施例を示す裏側部材の水平断面図である。
【図４】従来既知のオカリナの平面図である。
【図５】従来既知のオカリナの底面図である。
【図６】従来既知のオカリナの水平断面図である。
【図７】従来既知のオカリナの裏側部材の水平断面図である。
【図８】図４のＡ−Ａ線縦断面図である。
【発明を実施するための形態】
【００１３】
本発明に係わるオカリナは、第一裏側指孔や第二裏側指孔を開いた場合でも音にカスレが生じないようにするものである。
【実施例１】
【００１４】
以下、図面に基づき、本発明に係るオカリナについて説明する。
図１は本発明に係るオカリナの一実施例を示す水平断面図であり、図７相当図である。  図２は本発明に係るオカリナの縦断面図であり、図８相当図である。なお、本発明に係るオカリナは、図４に示す従来のオカリナの平面図や図５に示す従来のオカリナの底面図や図６に示す従来のオカリナの正面図と同じ形状をしている。なお、図４乃至図８と同じ参照番号は、本発明では同じ部材を示すものとする。
【００１５】
本発明に係わるオカリナ１０は、従来既知のオカリナ４０と同じ構成要素を備えている。即ち、オカリナ１０は、１個の特定表側指孔４６と多数の表側指孔４８を形成した表側部材４２（図４参照）と、歌口５０と第一裏側指孔５２と第二裏側指孔５４とを形成した裏側部材４４（図５参照）とを有する。表側部材４２と裏側部材４４とを接合固定することによって、共鳴胴部５６（図７及び図８参照）が形成され、その共鳴胴部５６の内部に共鳴空間５８（図６及び図７参照）が形成され、更に、その共鳴空間５８と連絡する吹き口６０とエアウエー６２（図１及び図３参照）とが形成される。共鳴空間５８は、特定表側指孔４６，多数の表側指孔４８と、第一裏側指孔５２と、第二裏側指孔５４と、歌口５０と、エアウエー６２並びに吹き口６０とに連絡する。共鳴空間５８は、表側部材４２の凹み部である表側空間部１２と裏側部材４４の凹み部である裏側空間部１４とを合わせたもので構成される。
【００１６】
裏側部材４４における裏側空間部１４側の内壁面１６には、第一裏側指孔５２と歌口５０とを区画する平面または曲面の板状の第一隔壁１８を備えると共に、第二裏側指孔５４と歌口５０とを区画する平面または曲面の板状の第二隔壁２０を備える。これら第一隔壁１８と第二隔壁２０は、裏側部材４４の成型時に裏側部材４４に一体に形成しても良いし、成型した裏側部材４４の内壁面１６にその後取付けるようにしても良い。第一隔壁１８や第二隔壁２０は、それぞれの両側面と底面が裏側部材４４の内壁面１６と接合し、その接合面では空気が通過することが無いように設定する。
【００１７】
図２に示すように、第一隔壁１８と第二隔壁２０とによって、裏側部材４４の裏側空間部１４（共鳴空間５８の約半分）は、第一裏側空間部２２と第二裏側空間部２４と中央裏側空間部２６との３つの空間部に区画される。第一裏側空間部２２は第一裏側指孔５２と連絡し、第二裏側空間部２４は第二裏側指孔５４と連絡し、中央裏側空間部２６は歌口５０と連絡する。第一隔壁１８は、第一裏側空間部２２と中央裏側空間部２６とを区画する（完全に遮断する）ものであり、具体的には第一裏側指孔５２と歌口５０との直線的な連絡を遮断するものである。第二隔壁２０は、第二裏側空間部２４と中央裏側空間部２６とを区画する（完全に遮断する）ものであり、具体的には第二裏側指孔５４と歌口５０との直線的な連絡を遮断するものである。勿論、第一裏側指孔５２と第二裏側指孔５４とは、第一隔壁１８や第二隔壁２０によって直接的（直線的）な連絡は遮断されている。
【００１８】
この実施例１では、第一隔壁１８と第二隔壁２０の２つの隔壁によって、歌口５０と連絡する中央裏側空間部２６を形成する。第一裏側指孔５２からの空気圧は、第一裏側空間部２２から第一隔壁１８の自由先端部２８を乗り越えて、表側部材４２側の凹み部である表側空間部１２を一旦通って、中央裏側空間部２６の歌口５０に至る。第二裏側指孔５４からの空気圧は、第二裏側空間部２４から第二隔壁２０の自由先端部３０を乗り越えて、表側部材４２側の凹み部である表側空間部１２を一旦通って、中央裏側空間部２６の歌口５０に至る。
【００１９】
第一隔壁１８の自由先端部２８と第二隔壁２０の自由先端部３０は、裏側部材４４における表側部材４２と接合する接合面３２と比べてやや高い（図２での裏側部材４４における裏側空間部１４側を上方向とする）場合であってもやや低い場合であっても良いが、接合面３２とほぼ同じ高さ（同一の平面上に配置した）か、やや高い高さとした方がカスレ音が出ない点から望ましい。ほぼ同じ高さ（同一の平面）とは、標準管であるアルトＣ（横方向の長さは概ね１５ｃｍ前後）のオカリナの場合には、高さの誤差（約１〜２ミリ）を包含するものとする。なお、オカリナのサイズによっては、高さの誤差が異なってくる。第一隔壁１８の自由先端部２８と第二隔壁２０の自由先端部３０が、接合面３２の高さよりやや低い場合には、第一裏側空間部２２の上側部分と中央裏側空間部２６の上側部分とが第一隔壁１８の自由先端部２８を超えて連絡し、第二裏側空間部２４の上側部分と中央裏側空間部２６の上側部分とが第二隔壁２０の自由先端部３０を超えて連絡することになるので、「原則的に」という表現を用いて、第一隔壁１８は原則的に第一裏側空間部２２と中央裏側空間部２６とを区画するとし、第二隔壁２０は原則的に第二裏側空間部２４と中央裏側空間部２６とを区画するとした。
【００２０】
本発明では、高音域のレを出す第一裏側指孔５２を開いた場合に、第一裏側空間部２２内で開放された空気圧は、その後、第一裏側空間部２２から第一隔壁１８の自由先端部２８を乗り越えて（表側部材４２の表側空間部１２に一旦入って）中央裏側空間部２６に至り、その後、歌口５０で振動することで音が鳴る。同様に、高音域のミを出す第二裏側指孔５４を開いた場合にも、第二裏側空間部２４内で開放された空気圧は、その後、第二裏側空間部２４から第二隔壁２０の自由先端部３０を乗り越えて（表側部材４２の表側空間部１２に一旦入って）中央裏側空間部２６に至り、その後、歌口５０で振動することで音が鳴る。
【００２１】
以上のように本発明では、裏側部材４４における裏側空間部１４（共鳴空間５８の約半分）において、第一裏側指孔５２と歌口５０とは第一隔壁１８で遮断されているので、第一裏側指孔５２から歌口５０へ向かう空気圧は、第一隔壁１８の自由先端部２８を乗り越えてから中央裏側空間部２６を経て歌口５０に向かうように設定される。即ち、第一裏側指孔５２から歌口５０へ向かう空気圧の流れは、表側部材４２の多数の表側指孔４８から歌口５０へ向かう空気圧の流れとほぼ同じ方向の流れとなる。同様に、第二裏側指孔５４と歌口５０とは第二隔壁２０で遮断され、第二裏側指孔５４から歌口５０へ向かう空気圧は、第二隔壁２０の自由先端部３０を乗り越えてから中央裏側空間部２６を経て歌口５０に向かうように設定される。即ち、第二裏側指孔５４から歌口５０へ向かう空気圧の流れは、表側部材４２の多数の表側指孔４８から歌口５０へ向かう空気圧の流れとほぼ同じ方向の流れとなる。
【００２２】
従来のオカリナでは、高音域のレを出す第一裏側指孔５２を開いた場合や、高音域のミを出す第二裏側指孔５４を開いた場合に、そこで開放された空気圧は、何も遮られるものが無いために、水平方向に歌口５０に移動する（図６参照）。この水平方向の空気圧の流れと、表側部材４２の多数の表側指孔４８からの歌口５０に向かうほぼ垂直方向の空気圧の流れ（図６参照）とが歌口５０で混ざり合って、それらの異なる空気の圧力が歌口５０の発音に干渉して、カスレ音が出ると想定される。これに対して、本発明では、高音域のレを出す第一裏側指孔５２を開いた場合や、高音域のミを出す第二裏側指孔５４を開いた場合に、開放された空気は、第一隔壁１８や第二隔壁２０を乗り越えて中央裏側空間部２６に入り、その後歌口５０に向かう。この歌口５０に向かう空気圧の流れは、表側部材４２の多数の表側指孔４８からの歌口５０に向かう空気圧の流れとほぼ同じ流れとなる。これによって、歌口５０での異なった空気の圧力による混合の発生がないため、カスレが生じることがないと想定される。よって、本発明では、高音域のレやミを出すために裏側指孔５２，５４を開いた場合に、音のカスレを生じることがなく、全ての良好な音を出すことができる。
なお、中央裏側空間部２６はある程度の広い空間の確保が望ましく、第一隔壁１８と第二隔壁２０の２つの隔壁を用いることで中央裏側空間部２６を簡単により広く形成することが可能となる。
【実施例２】
【００２３】
次に、本発明の実施例２を図３に基づいて説明する。実施例１（図１や図２）では、第一隔壁１８と第二隔壁２０の２つの隔壁によって、歌口５０を囲む中央裏側空間部２６を形成する。第一隔壁１８によって中央裏側空間部２６と第一裏側指孔５２とを区画し、第二隔壁２０によって中央裏側空間部２６と第二裏側指孔５４とを区画し、２つの隔壁１８，２０によって第一裏側指孔５２とを第二裏側指孔５４とを区画した。これに対して、図３に示す実施例２では、例えば曲面状で板状の１つの隔壁３４によって、裏側空間部１４を、歌口５０と連絡する中央裏側空間部３８と、第一裏側指孔５２や第二裏側指孔５４と連絡する裏側空間部３６とに区画する。隔壁３４では、その両側面と底面が裏側部材４４の内壁面１６と接合し、その接合面では空気が通過することが無いように設定する。この実施例２では、第一裏側指孔５２や第二裏側指孔５４が開放された場合の空気圧は、隔壁３４の自由先端部を通って、表側部材４２側の凹み部である表側空間部１２を一旦通って、中央裏側空間部３８に連絡するが、歌口５０（中央裏側空間部３８）と第一裏側指孔５２や第二裏側指孔５４とは直接連絡しないようにするものである。
【００２４】
以上のように実施例２においても、裏側空間部１４（共鳴空間５８の約半分）において、第一裏側指孔５２や第二裏側指孔５４と歌口５０とは隔壁３４で遮断されているので、第一裏側指孔５２や第二裏側指孔５４から歌口５０へ向かう空気圧は、隔壁３４の自由先端部を乗り越えてから中央裏側空間部３８を経て歌口５０に向かうように設定される。即ち、第一裏側指孔５２や第二裏側指孔５４から歌口５０へ向かう空気圧の流れは、表側部材４２の多数の表側指孔４８から歌口５０へ向かう空気圧の流れとほぼ同じ方向の流れとなる。よって、歌口５０での異なった空気の圧力による混合の発生がなくなり、カスレが生じることがないと想定される。よって、本発明では、高音域のレやミを出すために裏側指孔５２，５４を開いた場合に、音のカスレを生じることがなく、全ての良好な音を出すことができる。
【符号の説明】
【００２５】
１０  オカリナ
１２  表面空間部
１４  裏面空間部
１８  第一隔壁
２０  第二隔壁
２２  第一裏側空間部
２４  第二裏側空間部
２６  中央裏側空間部
２８  自由先端部
３０  自由先端面
３２  接合面
３６  裏側空間部
３８  中央裏側空間部
４２  表側部材
４４  裏側部材
５０  歌口
５２  第一裏側指孔
５４  第一裏側指孔
５８  共鳴空間
６２  エアウエー
【図１】
2013113974.tif 000003
【図２】
2013113974.tif 000004
【図３】
2013113974.tif 000005
【図４】
2013113974.tif 000006
【図５】
2013113974.tif 000007
【図６】
2013113974.tif 000008
【図７】
2013113974.tif 000009
【図８】
2013113974.tif 000010